(57)【要約】  本発明の換気扇は、部屋の壁面に取り付けられ、モーターとオリフィスを保持する本体フレームと、モーターに固定されるファンと、オリフィスに取り付けられるフィルターとオイルカップとを備えた換気扇において、オリフィスのいずれかの面に凹部または凸部を設け、フィルターおよびオイルカップに凹部または凸部にはめ込むはめ込み部を設けた構成からなり、工具を使う必要が無く簡単にオリフィスからフィルターを取り外すことができる掃除性の良い換気扇を実現することができる。
2010098048.tif 000002
【特許請求の範囲】
【請求項１】
部屋の壁面に取り付けられ、モーターとオリフィスを保持する本体フレームと、前記モーターに固定されるファンと、前記オリフィスに取り付けられるフィルターとオイルカップとを備えた換気扇において、前記オリフィスのいずれかの面に凹部または凸部を設け、前記フィルターおよび前記オイルカップの少なくともいずれかに前記凹部または前記凸部にはめ込むはめ込み部を設けたことを特徴とする換気扇。
【請求項２】
前記凹部は、前記オリフィスの前面の上方側に設けられた２ヶ所の引掛部であり、前記フィルターの両側面側に、前記オリフィスに引っ掛ける引っ掛け用爪部と、前記オリフィスから外れるのを防止する外れ防止用爪部とを設けたことを特徴とする請求項１に記載の換気扇。
【請求項３】
前記外れ防止用爪部の長さは、前記フィルターが一定の角度になるまで前記オリフィスに係合している長さとしたことを特徴とする請求項２に記載の換気扇。
【請求項４】
前記フィルター上部に設けた前記引っ掛け用爪部の近傍に、前記外れ防止用爪部を設けたことを特徴とする請求項２に記載の換気扇。
【請求項５】
前記引っ掛け用爪部と前記外れ防止用爪部とを一体に設けた一体型爪部とし、前記一体型爪部を前記フィルターにリベットで接合したことを特徴とする請求項２または４のいずれか１項に記載の換気扇。
【請求項６】
前記フィルターの一部に前記引っ掛け用爪部と前記外れ防止用爪部とを一体に設けた一体型フィルターとし、前記一体型フィルターを同じ材料で形成したことを特徴とする請求項２または４のいずれか１項に記載の換気扇。
【請求項７】
前記フィルターの表面に撥水性、または、親水性塗料を塗布したことを特徴とする請求項２または４のいずれか１項に記載の換気扇。
【請求項８】
前記オリフィスにボスを設け、前記フィルターをねじにて前記オリフィスに固定できる構造としたことを特徴とする請求項２に記載の換気扇。
【請求項９】
前記フィルター下部の前記オイルカップに係合する部分に、前記オイルカップに向かって凸部となる複数個の突起部を設けたことを特徴とする請求項２に記載の換気扇。
【請求項１０】
前記フィルターの前面に複数の通気孔を設け、上下方向に短冊形状の絞り部を設けたことを特徴とする請求項２に記載の換気扇。
【請求項１１】
前記凸部は、前記オリフィスの下面に台形形状に設けられ、前記オイルカップがこの部分と嵌合する部分に前記凸部と相似形の凹部を設け、前記オイルカップの下面に取っ手部と前記取っ手部と一体の爪部とをバネ性を持たせて設け、前記爪部が嵌合する前記オリフィスの下面に爪引掛り部を、前記オイルカップを前記オリフィスに装着したときに装着音がするように設けたことを特徴とする請求項１に記載の換気扇。
【請求項１２】
前記オイルカップの下面の２箇所に前記取っ手部を設け、前記取っ手部の前記爪部が嵌合する前記オリフィスの下面に爪引掛り部を設けたことを特徴とする請求項１１に記載の換気扇。
【請求項１３】
前記オリフィスの下方前面から前記フィルターに向けて突出した複数のリブを設け、前記リブに指が入らない程度の間隔を有するスリットを設けたことを特徴とする請求項１１に記載の換気扇。
【請求項１４】
前記リブの形状を、前記スリットに向けて傾斜させたことを特徴とする請求項１３に記載の換気扇。
【請求項１５】
前記オイルカップの側面に、切欠き部を設けたことを特徴とする請求項１１に記載の換気扇。
【請求項１６】
前記オイルカップの前記切欠き部の外側にオイル受けを設けたことを特徴とする請求項１５に記載の換気扇。
【請求項１７】
前記オイルカップの前面側に、オイルの蓄積量を表示する表示部を設けたことを特徴とする請求項１１に記載の換気扇。
【請求項１８】
前記表示部を、前記オイルカップの下面側にも設けたことを特徴とする請求項１７に記載の換気扇。
【請求項１９】
前記表示部を前記オイルカップの左右端部に設けたことを特徴とする請求項１１に記載の換気扇。
【請求項２０】
前記オイルカップを透明の樹脂材料にて形成したことを特徴とする請求項１１に記載の換気扇。
【発明の詳細な説明】
【技術分野】
【０００１】
本発明は、台所の壁面に設置され、調理時に発生する油煙を付着させ除去するフィルター付換気扇に関する。
【背景技術】
【０００２】
従来、フィルターを搭載した換気扇は、本体フレームに固定されたオリフィスの前面にフィルターをはめ込み、または、ねじ止めにて取り付ける構造であった（例えば、特許文献１参照）。【０００３】
このような従来の換気扇では、オリフィスからフィルターやオイルカップを取り外す際、はめ込み部分を外すか、または、結合しているねじを取り外さなければならない。はめ込みの場合は、調理時に発生する油により、はめ込み部が固着することにより取り外しが困難な場合がある。また、ねじ止めの場合は高所に設置された換気扇のねじを外さなければならないため手間がかかる。結果的にフィルターやオイルカップの取外しが困難で掃除性が悪いという課題があった。
【先行技術文献】
【特許文献】
【０００４】
【特許文献１】特開平４−２５４１３０号公報
【発明の概要】
【０００５】
本発明は、このような従来の課題を解決するものであり、工具を使う必要が無く簡単にオリフィスからフィルターやオイルカップを取り外すことができ、フィルターやオイルカップの掃除性を向上することができる換気扇を提供する。
【０００６】
本発明の換気扇は、部屋の壁面に取り付けられ、モーターとオリフィスを保持する本体フレームと、上記モーターに固定されるファンと、上記オリフィスに取り付けられるフィルターとオイルカップとを備えた換気扇において、上記オリフィスのいずれかの面に凹部または凸部を設け、上記フィルターおよび上記オイルカップの少なくともいずれかに上記凹部または上記凸部にはめ込むはめ込み部を設けた構成からなる。
【０００７】
この構成により、工具を使う必要が無く簡単にオリフィスからフィルターを取り外すことができる掃除性の良い換気扇を実現することができる。
【図面の簡単な説明】
【０００８】
【図１】図１は、本発明の実施の形態１にかかる換気扇を示す斜視図である。
【図２】図２は、本発明の実施の形態１にかかる換気扇の斜視図である。
【図３】図３は、本発明の実施の形態１にかかる換気扇のフィルター取付構造を示す部分断面図である。
【図４】図４は、本発明の実施の形態２にかかる換気扇のフィルターを示す斜視図である。
【図５】図５は、本発明の実施の形態２にかかる換気扇のフィルターを示す斜視図である。
【図６】図６は、本発明の実施の形態２にかかる換気扇の他の形態のフィルターを示す斜視図である。
【図７】図７は、本発明の実施の形態３にかかる換気扇を示す斜視図である。
【図８】図８は、本発明の実施の形態４にかかるフィルター、オイルカップの取付構造を示す部分断面図である。
【図９】図９は、本発明の実施の形態５にかかる換気扇を示す部分斜視図である。
【図１０】図１０は、本発明の実施の形態６にかかる換気扇を示す斜視図である。
【図１１】図１１は、本発明の実施の形態６にかかる換気扇のオイルカップを示す斜視図である。
【図１２】図１２は、本発明の実施の形態７にかかる換気扇を示す斜視図である。
【図１３】図１３は、本発明の実施の形態７にかかる換気扇を示す斜視図である。
【図１４】図１４は、本発明の実施の形態８にかかる換気扇のオイルカップを示す斜視図である。
【図１５】図１５は、本発明の実施の形態８にかかる換気扇のオイルカップを示す斜視図である。
【図１６】図１６は、本発明の実施の形態９にかかる換気扇のオイルカップを示す斜視図である。
【図１７】図１７は、本発明の実施の形態９にかかる換気扇のオイルカップを示す斜視図である。
【図１８】図１８は、本発明の実施の形態９にかかる換気扇のオイルカップを示す斜視図である。
【発明を実施するための形態】
【０００９】
以下、本発明の実施の形態について、図面を参照しながら説明する。以下の図面においては、同じ構成要素については同じ符号を付しているので説明を省略する場合がある。
【００１０】
（実施の形態１）
図１および図２は、本発明の実施の形態１にかかる換気扇を示す斜視図で、図３は、本発明の実施の形態１にかかる換気扇のフィルター取付構造を示す部分断面図である。なお、図１は、本実施の形態１の換気扇の本体フレーム３から、フィルター５とオイルカップ６が、取り付けおよび取り外しできることを示している。また、図２は、本実施の形態１の換気扇が、室内の壁面などに取り付けられて動作するときの外形全体を示す斜視図である。図３は、本実施の形態１の換気扇のフィルター取付構造の要部を拡大して示した断面図である。
【００１１】
図１、図２および図３に示すように、本実施の形態１の換気扇は、部屋の壁面（図示せず）に取り付けられ、モーター１とオリフィス２を保持する本体フレーム３と、モーター１に固定されるファン４と、オリフィス２に取り付けられるフィルター５とオイルカップ６とを備えている。この換気扇において、オリフィス２のいずれかの面に凹部７または凸部８、９を設け、フィルター５およびオイルカップ６の少なくともいずれかに凹部７または凸部８、９にはめ込むはめ込み部７を設けた構成としている。
【００１２】
この構成により、後述するように、工具を使う必要が無く簡単にオリフィス２からフィルター５を取り外すことができる掃除性の良い換気扇を実現することができる。
【００１３】
図１に示すように、凹部７として、オリフィス２の前面の上方側に２ヶ所の引掛部７ａを設けている。また、凸部８、９として、フィルター５の両側面側に、オリフィス２に引っ掛ける引っ掛け用爪部８と、オリフィス２から外れるのを防止する外れ防止用爪部９とを設けた構成としている。
【００１４】
この構成により、オリフィス２の前面の２箇所の引掛部７ａに、フィルター５の引っ掛け用爪部８によりフィルター５が引掛けられる。そうすると、図３に示すようにフィルター５が所定の位置になった状態で、フィルター５の外れ防止用爪部９がオリフィス２の角穴１０に挿入され、フィルター５が、矢印５ａに示す上方に移動しなくなる。
【００１５】
このように本実施の形態１の換気扇は、引っ掛け用爪部８をオリフィス２の前面の上方の引掛部７ａに引掛けるだけで固定できる。これにより、工具を使うこと無く簡単にオリフィス２からフィルター５を着脱することができる。また、引掛部分の構造が複雑では無く簡単な構造なので、例えば、調理時に発生する油などにより引掛部分が固着し、フィルター５が外し難くなる可能性も低減される。したがって、フィルター５の掃除性を向上することができ、掃除正の良い換気扇を実現できる。
【００１６】
また、図３に示すように、外れ防止用爪部９の長さを、フィルター５が一定の角度になるまでオリフィス２に係合している長さとする。図３に示すように、フィルター５がオリフィス２の前面となす角度をθとすると、例えば、θが３０度の角度になるまでオリフィス２の角穴１０に係合している長さとする。
【００１７】
この構成により、フィルター５が一定の角度、例えば３０度、になるまで外れ防止用爪部９が角穴１０に挿入された状態となる。
【００１８】
このように、本実施の形態１の換気扇によれば、フィルター５を取外す際はフィルター５を一定の角度まで手前側に引き寄せるまでの間は、フィルター５が上方へ移動しない。これにより、不用意にフィルター５が外れることのない換気扇を実現できる。
【００１９】
また、図示はしていないが、フィルター５の表面５ｂに撥水性または親水性塗料を塗布した構成としてもよい。
【００２０】
この構成により、調理時に蒸気状に発生して、フィルター５の表面５ｂに付着して液状化した油が、下方に垂れ落ち易くなる。なぜなら、表面５ｂに撥水性塗料を塗布した場合には、蒸気状の油が表面５ｂに付着して、液状の細かい粒子となり、塗料の撥水作用により、下方に移動しやすくなる。この移動の過程で、液状の細かい粒子からなる油は、その粒子のサイズを大きくして下方に移動し、粒子サイズが大きくなるので下方に移動しやすくなり、垂れ落ちやすくなる。
【００２１】
また、表面５ｂに親水性塗料を塗布した場合には、表面５ｂに油と共に水蒸気などが付着して、その後に付着しようとする油が表面５ｂに付着することを妨げる。そうすると、油は親水性塗料の上に付いた水にはじかれて、液状の細かい粒子から大きい粒子となり、下方に移動しやすくなり垂れ落ちやすくなる。
【００２２】
このように本実施の形態１の換気扇によれば、フィルター５に油が付着し難いので、掃除性をさらに向上することができる換気扇を実現できる。
【００２３】
すなわち、本発明の換気扇は、部屋の壁面に取り付けられ、モーター１とオリフィス２を保持する本体フレーム３と、モーター１に固定されるファン４と、オリフィス２に取り付けられるフィルター５とオイルカップ６とを備えている。この換気扇において、オリフィス２の前面の上方側に２ヶ所の引掛部７ａを設け、フィルター５の両側面側に、オリフィス２に引っ掛ける引っ掛け用爪部８と、オリフィス２から外れるのを防止する外れ防止用爪部９とを設けている。
【００２４】
この構成により、オリフィス２の前面の２箇所の引掛部７ａにフィルター５の引掛け用爪でフィルター５が引掛けられ、フィルター５が所定の位置になった状態でフィルター５の外れ防止用爪部９が、オリフィス２の角穴１０に挿入される。これにより、フィルター５が上方に移動しなくなる。
【００２５】
また、外れ防止用爪部９の長さを、フィルター５が一定の角度になるまでオリフィス２に係合している長さとしている。この構成により、フィルターが５一定の角度になるまで、外れ防止用爪部９が角穴１０に挿入された状態にあり、フィルター５が上方へ移動しない。
【００２６】
また、フィルター５の表面５ｂに撥水性または親水性塗料を塗布した構成としている。この構成により、フィルター５に付着した油が容易に除去される。
【００２７】
（実施の形態２）
図４及び図５は、本発明の実施の形態２にかかる換気扇のフィルター５を示す斜視図である。
【００２８】
図４に示すように、前記フィルター５上部に設けた前記引っ掛け用爪部８の近傍に外れ防止用爪部９を設けた構成としている。
【００２９】
この構成により、フィルター５を傾けた際に、外れ防止用爪部９がオリフィス２と近い距離の位置になる。
【００３０】
このように本実施の形態２の換気扇によれば、フィルター５を一定の角度に傾ける際に、外れ防止用爪部９が角穴１０に挿入された状態を保つための外れ防止用爪部９の長さを短くすることができる。また、外れ防止用爪部９はフィルター５を掃除する際に変形する恐れがあるので、長さを短くし変形し難くすることにより安定してフィルター５を着脱できる。
【００３１】
また、図５に示すように、引っ掛け用爪部８と外れ防止用爪部９とを一体に設けた一体型爪部２０とし、一体型爪部２０をフィルター５にリベット１１で接合した構成としている。
【００３２】
この構成により、リベット１１を固定する固定部のフィルター５の表面５ｂの出っ張りを極力平坦にすることができる。
【００３３】
このように本実施の形態２の換気扇によれば、工具を使う必要が無く簡単にオリフィス２からフィルター５を取り外すことができるので、フィルター５を掃除しやすい換気扇を実現できる。また、２個のリベット１１を使用することにより、部品の回転を防止することができる。それとともにフィルター５と外れ防止用爪部９および引っ掛け用爪部８を異なる厚みの材料や異なる材料にすることができる。
【００３４】
図６は、本発明の実施の形態２にかかる換気扇の他の形態のフィルター５を示す斜視図である。図６に示すように、フィルター５の一部に引っ掛け用爪部８と外れ防止用爪部９とを一体に設けた一体型フィルター２１とし、この一体型フィルター２１を同じ材料で形成した構成としている。
【００３５】
この構成により、金属材料や樹脂材料などの同じ材料により、フィルター５と引っ掛け用爪部８および外れ防止用爪部９を一体成型により一体構造の一体型フィルター２１として形成できる。
【００３６】
そうすると、工場での部品の加工時間が短縮できるとともに、換気扇に用いる部品の組立時間が短縮でき、低コストの換気扇を実現できる。
【００３７】
すなわち、本発明の換気扇は、フィルター５上部に設けた引っ掛け用爪部８の近傍に外れ防止用爪部９を設けたものである。この構成により、フィルター５を傾けた際に、外れ防止用爪部９がオリフィス２と近い距離の位置になり、安定してフィルター５を着脱できる。
【００３８】
また、引っ掛け用爪部８と外れ防止用爪部９とを一体に設けた一体型爪部２０とし、一体型爪部２０をフィルター５にリベット１１で接合した構成としている。この構成により、外れ防止用爪部９と引っ掛け用爪部８を一体にし、フィルター５にリベット１１で確実に固定する。
【００３９】
また、フィルター５の一部に引っ掛け用爪部８と外れ防止用爪部９とを一体に設けた一体型フィルター２１とし、この一体型フィルター２１を同じ材料で形成した構成としている。この構成により、フィルター５と外れ防止用爪部９および引っ掛け用爪部８が一体型フィルター２１として、一つの部品で構成され、フィルター５の低コスト化が実現できる。
【００４０】
（実施の形態３）
図７は、本発明の実施の形態３にかかる換気扇を示す斜視図である。図７に示すように、オリフィス２にボス１２を設けフィルター５をねじにてオリフィス２に固定できる構造とする。
【００４１】
この構成により、フィルター５がオリフィス２に機械的に固定されることとなる。これにより、換気扇の運転中に使用者が意図せずにフィルター５が外れ、使用者がファン４により怪我をするというような危険な状態が生じることを確実に防止できる。
【００４２】
（実施の形態４）
図８は、本発明の実施の形態４にかかる換気扇のフィルター５、オイルカップ６の取付構造を示す部分断面図である。図８に示すように、フィルター５下部の前記オイルカップ６に係合する部分に、オイルカップ６に向かって凸となる複数個の突起部１３を設けた構造とする。
【００４３】
この構成により、フィルター５とオイルカップ６との間に確実に隙間を設けることができる。これにより、フィルター５の表面５ｂを垂れ落ちる油は、オイルカップ６の内側に導かれ、油を確実にオイルカップ６にて捕集できる。
【００４４】
（実施の形態５）
図９は、本発明の実施の形態５にかかる換気扇を示す部分斜視図である。図９に示すように、フィルター５の前面５ｃに複数の通気孔１４を設け、矢印５ｄに示す上下方向に短冊形状の絞り部１５を設けた構造とする。
【００４５】
この構成により、フィルター５の強度を向上できる。これにより、フィルター５の着脱時、油汚れ掃除時にも、強度が向上しているので変形し難い換気扇を実現できる。
【００４６】
（実施の形態６）
図１０は、本発明の実施の形態６にかかる換気扇を示す斜視図で、図１１は、本発明の実施の形態６にかかる換気扇のオイルカップを示す斜視図である。
【００４７】
図１０及び図１１に示すように、本実施の形態６の換気扇は、部屋の壁面に取り付けられ、モーター１０１とオリフィス１０２を保持する本体フレーム１０３と、モーター１０１に固定されるファン１０４と、オリフィス１０２に取り付けられるフィルター１０５とオイルカップ１０６とを備えている。そして、本実施の形態６の換気扇において、オリフィス１０２のいずれかの面に凹部１０８または凸部１０７を設け、フィルター１０５およびオイルカップ１０６の少なくともいずれかに凹部１０８または凸部１０７にはめ込むはめ込み部１０７を設けている。そして、凸部１０７は、オリフィス１０２の下面に台形形状に設けられ、オイルカップ１０６が、この部分と嵌合する部分に凸部１０７と相似形の凹部１０８を設け、オイルカップ１０６の下面に取っ手部１０９と取っ手部１０９と一体の爪部１１０をバネ性を持たせて設けている。そして、爪部１１０が嵌合するオリフィス１０２の下面に爪引掛り部１１１を、オイルカップ１０６をオリフィス１０２に装着したときに、例えば「カチッ」と、装着音がするように設けた構成としている。
【００４８】
この構成により、下方向に広がったオリフィス１０２の凸部１０７にオイルカップ１０６の凹部１０８を前面より水平方向にスライドさせて嵌め合わせるので運転中にオイルカップ１０６が落下することがない。また、バネ性を持たせた取っ手部１０９の爪部１１０がオリフィス１０２の下面の爪引掛り部１１１を乗り越えて係合する際に「カチッ」という装着音がする。
【００４９】
このように本実施の形態６の換気扇によれば、工具を使う必要が無く簡単にオイルカップ１０６を着脱することができる。これにより、運転時の振動や部品の経年劣化が生じても落下しにくく、取り付けた時に「カチッ」と装着音がするので確実にフィルター１０５を取付られる換気扇を実現できる。
【００５０】
また、図１１に示すように、オイルカップ１０６の下面の２箇所に取っ手部１０９を設け、取っ手部１０９の爪部１１０が嵌合するオリフィス１０２の下面に爪引掛り部１１１を設けた構成としている。
【００５１】
この構成により、オイルカップ１０６の着脱は、両側の取っ手部１０９を摘んで行う必要がある。
【００５２】
このように本実施の形態６の換気扇によれば、両手で取っ手部１０９を摘んでオイルカップ１０６を外す必要がある。これにより、水平状態を保ったままでオイルカップ１０６の取外しができ、オイルカップ１０６を取り外す際に溜まった油を溢すことなく確実に処理できる。
【００５３】
すなわち、本発明の換気扇は、部屋の壁面に取り付けられ、モーター１０１とオリフィス１０２を保持する本体フレーム１０３と、モーター１０１に固定されるファン１０４と、オリフィス１０２に取り付けられるフィルター１０５とオイルカップ１０６とを備えている。この換気扇において、オリフィス１０２の下面に台形形状の凸部１０７を設け、オイルカップ１０６が、この部分と嵌合する部分に凸部１０７と相似形の凹部１０８を設けている。このオイルカップ１０６の下面に、取っ手部１０９と、取っ手部１０９と一体の爪部１１０とをバネ性を持たせて設けている。そして、この爪部１１０が嵌合するオリフィス１０２の下面に爪引掛り部１１１を、オイルカップ１０６をオリフィス１０２に装着したときに装着音がするように設けたものである。
【００５４】
この構成により、換気扇において、オイルカップ１０６の凹部１０８をオリフィス１０２の凸部１０７に合わせて水平方向にスライドさせ差し込み、バネ性を持たせた取っ手部１０９の爪部１１０がオリフィス１０２の下面の爪引掛り部１１１を乗り越えて係合する。
【００５５】
また、オイルカップ１０６の下面２箇所に取っ手部１０９を設け、取っ手部１０９の爪部１１０が嵌合するオリフィス１０２の下面に爪引掛り部１１１を設けた構成としている。この構成により、オイルカップ１０６の両側の取っ手部１０９を摘んで着脱する。
【００５６】
（実施の形態７）
図１２及び図１３は、本発明の実施の形態７にかかる換気扇を示す斜視図である。図１２に示すように、オリフィス１０２の下方前面からフィルター１０５に向けて突出した複数のリブ１１２を設け、リブ１１２に指が入らない程度の間隔を有するスリット１１３を設けた構成としている。
【００５７】
この構成により、フィルター１０５とオリフィス１０２との間の開口部から指が入らなくなる。これにより、使用者がオイルカップ１０６を装着せずに運転している場合にも、指がファン（図示せず）に接触し怪我をするのを防ぐことができる。
【００５８】
また、図１３に示すように、リブ１１２の形状を、スリット１１３に向けて傾斜させた構成としている。
【００５９】
この構成により、オリフィス１０２に付着し、リブ１１２に流れ落ちた油は、リブ１１２の傾斜によってスリット１１３より下方のオイルカップ（図示せず）へ流れることとなる。このように本実施の形態７の換気扇によれば、油がオイルカップ（図示せず）に溜まり掃除がしやすくなる。
【００６０】
（実施の形態８）
図１４及び図１５は、本発明の実施の形態８にかかる換気扇のオイルカップ１０６を示す斜視図である。
【００６１】
図１４に示すように、オイルカップ１０６の側面に、切欠き部１１４を設けた構成としている。
【００６２】
この構成により、オイルカップ１０６に溜まった油が、ある規定量を超えた際に油が切欠き部１１４から外に流れ出す。このように本実施の形態８の換気扇によれば、油が最初に意図したところから流れだし、壁面等が汚れることを防ぐとともに、油が規定量を超え、オイルカップ６から溢れだしたことを容易に気付くことができる。
【００６３】
また、図１５に示すように、オイルカップ１０６の切欠き部１１４の外側にオイル受け１１５を設けた構成としている。
【００６４】
この構成により、オイルカップ１０６から溢れだした油は、オイル受け１１５に捕集される。これにより、オイルカップ１０６から溢れだした油をコンロ上に滴下させることなく捕集できる換気扇を実現することができる。
【００６５】
（実施の形態９）
図１６、図１７及び図１８は、本発明の実施の形態９にかかる換気扇のオイルカップを示す斜視図である。
【００６６】
図１６に示すように、オイルカップ１０６の前面側に、オイルの蓄積量を表示する表示部１１６を設けた構成としている。この表示部１１６は、油の蓄積量が確認できるように透明の材料にて構成される。また、オイルカップ１０６を樹脂材料で構成する場合は、表示部１１６の材料と一体成形し構成するのが油漏れの心配が無く有用である。
【００６７】
この構成により、オイルカップ１０６の前面に透明の表示部１１６を設け、オイルカップ１０６の内部に蓄積した油の量が確認できる。このように本実施の形態９の換気扇によれば、オイルカップ１０６に蓄積した油の量が確認できる。これとともに、油の廃却を要する蓄積量を表示でき、使用者が油の廃却時期を容易に判断できる換気扇を実現できる。
【００６８】
また、図１７に示すように、表示部１１６を、オイルカップ１０６の下面側にも設けた構成としている。
【００６９】
この構成により、オイルカップ１０６の前面から下部にかけて表示部１１６を設け、換気扇の下方から油の蓄積が確認できる。これにより、換気扇を高所に取り付けた場合、下部から油の蓄積を確認できる。
【００７０】
また、図１８に示すように、表示部１１６をオイルカップ１０６の左右端部に設けた構成としている。
【００７１】
この構成により、油の蓄積状況を左右の表示部１１６にて確認できることとなる。このように本実施の形態９の換気扇によれば、換気扇をキッチンの右隅、または左隅に設置された場合でも表示部１１６が見やすい換気扇を実現できる。
【００７２】
また、図示はしていないが、オイルカップ１０６を透明の樹脂材料にて形成した構成としている。
【００７３】
この構成により、蓄積した油が全方向から確認できることとなる。このように本実施の形態９の換気扇によれば、油の蓄積量がどこからでも容易に確認できる換気扇を実現できる。
【産業上の利用可能性】
【００７４】
本発明に係る換気扇は、オリフィスのいずれかの面に凹部または凸部を設け、フィルターおよびオイルカップの少なくともいずれかに凹部または凸部にはめ込むはめ込み部を設けた構成としている。この構成により、工具を使う必要が無く簡単にフィルターを着脱することができるので、本発明はフィルター付の換気扇に有用である。
【符号の説明】
【００７５】
１，１０１    モーター
２，１０２    オリフィス
３，１０３    本体フレーム
４，１０４    ファン
５，１０５    フィルター
５ａ，５ｄ    矢印
５ｂ    表面
５ｃ    前面
６，１０６    オイルカップ
７，１０７    はめ込み部（凹部）
７ａ    引掛部（凹部）
８    引っ掛け用爪部（凸部）
９    外れ防止用爪部（凸部）
１０    角穴
１１    リベット
１２    ボス
１３    突起部
１３ａ    隙間
１４    通気孔
１５    絞り部
２０    一体型爪部
２１    一体型フィルター
１０７    凸部
１０８    凹部
１０９    取っ手部
１１０    爪部
１１１    爪引掛り部
１１２    リブ
１１３    スリット
１１４    切欠き部
１１５    オイル受け
１１６    表示部
【図１】
2010098048.tif 000003
【図２】
2010098048.tif 000004
【図３】
2010098048.tif 000005
【図４】
2010098048.tif 000006
【図５】
2010098048.tif 000007
【図６】
2010098048.tif 000008
【図７】
2010098048.tif 000009
【図８】
2010098048.tif 000010
【図９】
2010098048.tif 000011
【図１０】
2010098048.tif 000012
【図１１】
2010098048.tif 000013
【図１２】
2010098048.tif 000014
【図１３】
2010098048.tif 000015
【図１４】
2010098048.tif 000016
【図１５】
2010098048.tif 000017
【図１６】
2010098048.tif 000018
【図１７】
2010098048.tif 000019
【図１８】
2010098048.tif 000020
【国際調査報告】
2010098048.tif 000021
2010098048.tif 000022
2010098048.tif 000023
2010098048.tif 000024